(57)【要約】  測定ランドスケープ内の共鳴領域の挙動を使用して対称および非対称のファクタに関連してプロセス変動を評価し特徴付け、プロセスステップに関連してプロセス変動の根本原因解析を行う方法、計測モジュール、およびＲＣＡツールが提供される。異なる層の厚さおよびプロセス変動のファクタを有するモデル化された積み重ねのシミュレーションを使用して、解析を強化し、改善されたターゲット設計、改善されたアルゴリズム、および計測測定のために補正可能なものをもたらすことができる。敏感な共鳴領域を示す特定のターゲットは、プロセス変動を評価を向上するために利用することができる。
2019512869.tif 000002
【特許請求の範囲】
【請求項１】
シミュレーションおよび／または複数のスキャトロメトリ測定からランドスケープを得るステップであって、前記ランドスケープは、少なくとも１つのパラメータに関する少なくとも１つの計測計量の少なくとも部分的に連続した従属性を備える、ステップと、
前記得られたランドスケープ内で、測定された位置における光学的照明の共鳴に対応する少なくとも１つの共鳴領域を特定するステップと、
前記少なくとも１つのパラメータの特定の変化に基づいて前記特定された少なくとも１つの共鳴領域の従属性を解析するステップと、
前記解析からプロセス変動の推定を得るステップと
を含む方法。
【請求項２】
請求項１に記載の方法であって、前記少なくとも１つのパラメータは、照明の波長、瞳の位置のいずれかを含む方法。
【請求項３】
請求項１に記載の方法であって、前記少なくとも１つの計測計量は、オーバーレイ、オーバーレイの変動の計量、および前記オーバーレイに対して定められる不正確さの計量のうち少なくとも１つを含む方法。
【請求項４】
請求項３に記載の方法であって、前記オーバーレイは、
【数１】
2019512869.tif 000013
として計算され、ただし、
【数２】
2019512869.tif 000014
は瞳の画素を表し、ｆ０は設計されたオフセットを示し、Ｄ１およびＤ２は、反対の設計されたオフセットに対応して、互いに対して１８０°だけ回転する瞳の画素で測定される反対の次数の信号強度間の差を示す方法。
【請求項５】
請求項１に記載の方法であって、
少なくとも１つのパラメータとしてシミュレートされるおよび／または測定される瞳像を横切る前記少なくとも１つの共鳴領域の移動を検出し、そこから対称のプロセス変動を推定するステップをさらに含む方法。
【請求項６】
請求項１に記載の方法であって、前記少なくとも１つの共鳴領域内の符号変化を検出し、そこから非対称のプロセス変動を推定するステップをさらに含む方法。
【請求項７】
請求項６に記載の方法であって、前記符号変化は、前記少なくとも１つのパラメータの変化に基づく不正確さの勾配の逆転を含む方法。
【請求項８】
請求項５または６に記載の方法であって、
ウェハ上の複数の測定位置の上の前記特定された少なくとも１つの共鳴領域をマップピングするステップと、
前記マップピング内の少なくとも１つの空間的な関係を特徴付けるステップと、
前記特徴付けに従って前記プロセス変動の根本原因を特定するステップと
をさらに含む方法。
【請求項９】
請求項８に記載の方法であって、計測の偏差の予測のための計測測定と並列に、前記根本原因の特定を実行するステップをさらに含む方法。
【請求項１０】
請求項９に記載の方法であって、前記予測された計測の偏差に従って計測測定のレシピを調整するステップをさらに含む方法。
【請求項１１】
請求項１に記載の方法であって、ウェハ上の異なる箇所に対して前記得られたランドスケープを解析するステップをさらに含む方法。
【請求項１２】
請求項１１に記載の方法であって、前記箇所における前記箇所に対してのプロセス変動の推定を得るために基準ウェハを用いるステップをさらに含む方法。
【請求項１３】
請求項１１に記載の方法であって、前記ランドスケープの同じ領域に対応する前記ウェハ全体にわたっての箇所における計測測定を実行するために計測測定のレシピについてのサンプリングを調整するステップをさらに含む方法。
【請求項１４】
コンピュータ可読プログラムを組み入れたコンピュータ可読非一時的記憶媒体を備え、前記コンピュータ可読プログラムは、請求項１から１３のいずれか１項に記載の前記方法を実行するように構成されているコンピュータプログラム製品。
【請求項１５】
請求項１から１３のいずれか１項に記載の前記方法を実行するように構成されている計測ツール。
【請求項１６】
少なくとも１つのコンピュータプロセッサに関連しているとともに、プロセスに関連したパラメータおよび測定データを受け、そこからランドスケープおよび前記ランドスケープ内の少なくとも１つの共鳴領域を得るように構成されているＲＣＡ（根本原因解析）ツールであって、前記ランドスケープは、少なくとも１つのパラメータに関して少なくとも１つの計測計量の従属性を有し、前記少なくとも１つの共鳴領域は、測定された位置における光学的照明の共鳴に対応し、前記ＲＣＡツールは、前記受け取ったプロセスに関連したパラメータおよび測定データに対して前記ランドスケープ内の前記少なくとも１つの共鳴領域の変化の解析からプロセス変動を評価するようにさらに構成されているＲＣＡツール。
【請求項１７】
請求項１６に記載のＲＣＡツールであって、少なくとも１つのウェハにわたる前記少なくとも１つの共鳴領域内の変化をマップピングするようにさらに構成されているＲＣＡツール。
【請求項１８】
請求項１７に記載のＲＣＡツールであって、前記マップピングは、ウェハ、プロセス分割ウェハ、およびロットの複数のウェハのうち少なくとも１つに対して実行されるＲＣＡツール。
【請求項１９】
請求項１６に記載のＲＣＡツールであって、前記評価されたプロセス変動に基づいて補正可能なものをもたらすようにさらに構成されているＲＣＡツール。
【請求項２０】
請求項１６に記載のＲＣＡツールであって、評価されたプロセス変動の根本原因解析を得るようにさらに構成されているＲＣＡツール。
【請求項２１】
請求項２０に記載のＲＣＡツールであって、様々な同質の厚さの変動を有するモデル化された積み重ねをシミュレートして、プロセス変動のパターンを得るとともに、前記得られたパターンを特定のプロセスに関連した根本原因に関係付けるようにさらに構成されているＲＣＡツール。
【請求項２２】
請求項２１に記載のＲＣＡツールであって、前記モデル化された積み重ね内部の非対称を破る格子の非対称、トポグラフィ、セルツーセルの変動、ターゲット雑音、および任意のプロセス変動のうち少なくとも１つを含む非対称のプロセス変動のファクタを前記シミュレーションに組み込むようにさらに構成されているＲＣＡツール。
【請求項２３】
請求項２２に記載のＲＣＡツールであって、異なるタイプのプロセス変動について予期される不正確さを定量化するとともに、ターゲット設計、計測アルゴリズム、および測定レシピのうち少なくとも１つへの変形を示唆するようにさらに構成されているＲＣＡツール。
【発明の詳細な説明】
【技術分野】
【０００１】
本発明は、計測の分野に関し、より詳細には、スキャトロメトリベースの計測に関する。
【背景技術】
【０００２】
関連出願の相互参照
本出願は、２０１６年２月２５日に出願した米国仮特許出願第６２／２９９，６９３号の利益を主張するものであり、これは、全体として本願に引用して援用する。
【０００３】
全体として本願に引用して援用するＷＩＰＯの国際公開第２０１６／０８６０５６号は、レシピパラメータに関する計測計量の部分的に連続した従属性を得て、得た従属性を解析し、解析に従って計測レシピを決定し、決定したレシピに従って計測測定を実行する方法を開示する。この従属性は、低感度の領域および／または不正確さが小さいまたはゼロの点もしくは輪郭が解析的、数値的、または実験的に検出される感度ランドスケープなどのランドスケープの形態で解析されるとともに、高い測定精度を実現するように測定、ハードウェア、およびターゲットのパラメータを設定するために使用することができる。プロセス変動は、感度ランドスケープに対する影響の観点で解析され、この影響は、さらにプロセス変動を特徴付けるために使用されて、測定を最適化し、計測を、不正確さの源に対してより頑健であるともに、ウェハ上の異なるターゲットおよび利用できる測定条件に対してより柔軟であるようにさせる。
【先行技術文献】
【特許文献】
【０００４】
【特許文献１】国際公開第２０１６／０８６０５６号
【発明の概要】
【発明が解決しようとする課題】
【０００５】
本発明は、プロセス変動の異なる源およびウェハ上のそれらの再分割を特定し評価するための効率的で経済的な方法および機構を提供する。
【課題を解決するための手段】
【０００６】
以下は、本発明の最初の理解を与える簡単な概要である。この概要は、必ずしも重要な要素を特定することも、本発明の範囲を限定することもないが、以下の説明の導入としての役割を果たすものにすぎない。
【０００７】
本発明の一態様は、（ｉ）シミュレーションおよび／または複数のスキャトロメトリ測定からランドスケープを得るステップであって、ランドスケープは、少なくとも１つのパラメータに関する少なくとも１つの計測計量の少なくとも部分的に連続した従属性を備える、ステップと、（ｉｉ）得られたランドスケープ内で、測定された位置における光学的照明の共鳴に対応する少なくとも１つの共鳴領域を特定するステップと、（ｉｉｉ）少なくとも１つのパラメータの特定の変化に基づいて特定された少なくとも１つの共鳴領域の従属性を解析するステップと、（ｉｖ）解析からプロセス変動の推定を得るステップとを含む方法を提供する。
【０００８】
本発明のこれらのさらなるおよび／または他の態様および／または利点は、以下の詳細な説明に記載されており、これらは、詳細な説明からおそらく推測可能であり、および／または本発明の実施によって学習可能である。
【０００９】
本発明の実施形態をより良く理解するため、およびそれをどのように実行するのか示すために、次に、純粋に例によって、添付図面の参照がなされており、ここで、同じ番号は、全体を通じて、対応する要素またはセクションを示す。
【００１０】
添付図面におけるものは、以下の通りである。
【図面の簡単な説明】
【００１１】
【図１】本発明のいくつかの実施形態による、ランドスケープ図および瞳像それぞれにおける波長および瞳座標に関しての共鳴領域についての一例の概略図である。
【図２】本発明のいくつかの実施形態による、対称のプロセス変動による、ランドスケープ図および瞳像それぞれにおける波長および瞳座標に関しての共鳴領域の移動についての一例の概略図である。
【図３Ａ】本発明のいくつかの実施形態による、ウェハ上の瞳内のアークの位置のマップピングについての一例の概略図である。
【図３Ｂ】本発明のいくつかの実施形態による、層の厚さが異なる場合の、データおよびシミュレーションから、異なる箇所が同じレシピで測定されるときの、ウェハの異なる箇所における瞳内のアークの位置についての一例の概略図である。
【図４】本発明のいくつかの実施形態による非対称のプロセス変動の影響を示す一例の概略図である。
【図５】本発明のいくつかの実施形態による、ウェハ上のおよび特にウェハの異なる箇所における瞳内のアークの位置による非対称のプロセス変動のマップピングについての一例の概略図である。
【図５−１】本発明のいくつかの実施形態による、ウェハ上のおよび特にウェハの異なる箇所における瞳内のアークの位置による非対称のプロセス変動のマップピングについての一例の概略図である。
【図６】本発明のいくつかの実施形態による、以下の開示の様々な態様に関する方法を示す高レベルのフローチャートである。
【図６−１】本発明のいくつかの実施形態による、以下の開示の様々な態様に関する方法を示す高レベルのフローチャートである。
【図７】本発明のいくつかの実施形態によるＲＣＡ（根本原因解析）ツールの高レベルの概略ブロック図である。
【発明を実施するための形態】
【００１２】
以下の説明には、本発明の様々な態様が記載されている。説明の目的ため、特定の構成および詳細が、本発明の十分な理解をもたらすために記載されている。しかしながら、本明細書中に示された特定の詳細なしで本発明が実施され得ることは、当業者にやはり明らかであろう。さらに、周知の特徴は、本発明をあいまいにしないために省略または簡略化されている場合がある。特に図面に関しては、図示の特色は例によるものであり、本発明の例示的説明のためのものにすぎず、本発明の原理および概念的態様のうち最も有用であると考えられるものおよび容易に理解される説明を与えるために示されることが強調されている。この点で、本発明の基本的な理解にとって必要である以上に詳細に本発明の構造的詳細を示す試みはなされておらず、図面を用いて解釈される明細書は、本発明のいくつかの形態を実際にどのように具体化できるか当業者に明らかにさせる。
【００１３】
本発明の少なくとも１つの実施形態を詳細に説明する前に、本発明は、その応用において、以下の明細書に記載されているまたは図面に示されている構成要素の構造の詳細および配置に限定されないことを理解されたい。本発明は、様々なやり方で実施または実行できる他の実施形態、および開示された実施形態の組み合わせに適用可能である。また、本明細書中に用いられる専門語および術語は説明のためのものであり、限定とみなされるべきではないことが理解されよう。
【００１４】
別段特に述べられない限り、以下の説明から明らかなように、計算システムのレジスタおよび／またはメモリ内の電子などの物理的な量として表わされるデータを、計算システムのメモリ、レジスタ、もしくは他のそのような情報記憶装置、伝達装置、または表示装置内の物理量として表わされる同様の他のデータに操作および／または変換する「処理」、「コンピューティング」、「計算」、「決定」、「強化」等などの用語を利用した明細書の説明全体にわたって、コンピュータまたは計算システム、あるいは同様の電子計算デバイスの動作および／またはプロセスを指すことが理解される。
【００１５】
本発明の実施形態は、オーバーレイの計測ツールの助けで、プロセス変動の異なる源およびウェハ上のそれらの再分割を特定し評価するための効率的で経済的な方法および機構を提供する。開示した発明は、任意の計測ツールへ拡張および実装されてもよい。例えば、瞳にわたる回折信号の測定によって、オーバーレイによる対称性の破れを超える情報を取り出すことが可能になる。プロセス変動は、特定された共鳴の領域（以下参照）上で測定され、場合によってはシミュレーションのさらなる助けを用いて定性的および定量的に推定され得る。ランドスケープ理論をシミュレーションのステップおよびツールと組み合わせる以下に開示された瞳解析は、異なるタイプのプロセス変動を検出、追跡、および定量化することを可能にし、これは、測定レシピの破れを予想し、ターゲットの設計プロセスを案内するために使用することができる。
【００１６】
測定ランドスケープにおける共鳴領域の挙動を使用して対称および非対称のファクタに対してプロセス変動を評価および特徴付け、プロセスステップに関してのプロセス変動の根本原因解析を行う方法、計測モジュール、およびＲＣＡツールが提供される。異なる層の厚さを有するモデル化された積み重ねのシミュレーション、およびプロセス変動のファクタのシミュレーションは、解析を強化するために使用され、改善されたターゲット設計、改善されたアルゴリズム、および計測測定についての補正可能なものをもたらし得る。感度のよい共鳴領域を示す特定のターゲットは、プロセス変動の評価を強化するために利用され得る。
【００１７】
ランドスケープおよび共鳴領域
ＷＩＰＯの国際公開第２０１６／０８６０５６号は、計測測定におけるランドスケープの概念を開示し、これは、１つ以上のパラメータに関して１つ以上の計測計量、例えば、スキャトロメトリオーバーレイ（ＳＣＯＬ）計量の従属性である。非限定の例として、ランドスケープは、１つ以上のプロセスパラメータ、測定パラメータ、およびターゲットパラメータに関して、オーバーレイ、オーバーレイの変動（例えば、瞳３Ｓ計量）、および／または不正確さ（推定されたオーバーレイから実際のオーバーレイを引いたもの）のいずれかの従属性を表し得る。特に、ＷＩＰＯの国際公開第２０１６／０８６０５６号に説明されるように、発明者らは、ランドスケープ内のある領域が、光学系内の共鳴（例えば、ウェハ層内および／またはターゲット構造間の照明の共鳴）に関連している急な変化を示し、これは、測定された領域に関してより多くの情報を与えるように使用され得ることが分かっている。
【００１８】
特に、ＳＣＯＬ技術は、強く波長に依存していることが分かっており、波長スペクトルにわたって、異なるオーバーレイ計測計量（信号、感度、瞳３Ｓ、オーバーレイなど）は、異なる種類のプロセス変動、ウェハ上の対称のプロセス変動および非対称のプロセス変動の両方に非常に敏感であるそれらのランドスケープ内に共鳴の領域を系統的に含む。これらの共鳴の領域の進行中の研究は、以下に説明されるように、これらの領域内の増加した不正確さは、異なる計測の光学を複雑なプロセス変動に関係付けるとても特殊なスキームに従うことを示す。
【００１９】
図１は、本発明のいくつかの実施形態による、ランドスケープ図９０および瞳像９１それぞれにおける波長および瞳座標に関しての共鳴領域９５、９６についての一例の概略図である。示されている不正確さは、推定されたオーバーレイと実際のオーバーレイとの間の差（ターゲット内の光学的共鳴によって引き起こされる差）であり、Ｐ３σ（Ｐ３Ｓとも示される）は、波長に基づく瞳にわたってのオーバーレイの変動の３シグマ測定法である。図１は、本発明における原理の明確な説明を行うために、とても単純なランドスケープ（ＬＳ）についての非限定の例を説明する。この例では、共鳴は、５００ｎｍで生じ、瞳オーバーレイは、５００ｎｍにおける照射で示される。瞳像において、共鳴領域９６は、瞳の中央近くに断続的なアークとして示される（５００ｎｍ横断するときの共鳴領域９５内の不正確さの符号の変化に対応する横断するアーク９６に関する不正確さの符号の変化に留意されたい）。共鳴の領域内で、不正確さ（実際のオーバーレイ、すなわち、測定されたオーバーレイ）は、瞳３Ｓの導関数としてほぼ振る舞うことが見られ得る。
【００２０】
オーバーレイの測定を超えて、したがって、ＳＣＯＬ技術は、ウェハにわたって生じ得る（対称および非対称の）プロセス変動の異なる源を特定、測定および識別し、異なるタイプのプロセス変動のウェハマップを生成し、異なるターゲット／レシピのプロセスの頑健さを評価するために使用することができる。ＲＣＡツールと組み合わせて、プロセス変動の強度は、定量的に監視することもできる。ＳＣＯＬターゲットの瞳信号を測定する利点は、これらの特徴が単一のレシピの瞳像にわたって信号から直接得られ得ることである。
【００２１】
実際、瞳は、プロセスについての大量の情報を運ぶ。ＳＣＯＬのオーバーレイ技術において、信号の反射性は、瞳にわたって測定され、各画素は、入射または波動ベクトルの異なる角度に対応する。次いで、画素ごとの差動信号は、２つの異なるセルの＋１および−１の回折次数とともに２つの異なる誘導されたｆ０オフセット（例えば、等しくおよび反対の＋ｆ０およ−ｆ０）から計算される。これは、信号、およびしたがってオーバーレイの対称の破れを測定することを可能にする。しかしながら、測定された反射性は、格子構造にわたる格子からなるＳＣＯＬターゲットを光学的に照明することから生じる異なる物理的法則に従う。そのような構造は、共鳴器などのファブリペロー（Ｆａｂｒｙ−Ｐｅｒｏｔ）としてみなされ得、格子と共鳴器の両方が、特定の波長／入射角度における消失する反射性などの異なる物理的効果をもたらす。
【００２２】
各画素が異なる照明角度に対応する場合に、瞳がある量の画素を含むとき、共鳴効果は、不連続９６のアークを通じて、または瞳オーバーレイにわたる特定の勾配または騒音パターンを通じて、あるいは消失する瞳感度を通じてまさしく瞳で直接観察することができる。増加した非対称のプロセス変動は、それに応じて、例えば瞳３Ｓを通じて定量的に測定可能であるそれらの共鳴効果を増大させる。
【００２３】
図６は、本発明のいくつかの実施形態による、以下の開示の様々な態様に関する方法１００を示す高レベルのフローチャートである。いくらかの実施形態は、シミュレーションおよび／または複数のスキャトロメトリ測定からランドスケープを得ること（段階１１０）（ただし、ランドスケープは、少なくとも１つのパラメータに関する少なくとも１つの計測計量の少なくとも部分的に連続した従属性を含む）と、得られたランドスケープ内で、測定された位置における光学的照明の共鳴に対応する少なくとも１つの共鳴領域を特定すること（段階１２０）と、少なくとも１つのパラメータの特定の変化に基づいて特定された少なくとも１つの共鳴領域の従属性を解析すること（段階１３０）と、解析からプロセス変動の推定を得ること（段階１４０）とを含む方法１００を含む。方法１００の段階のいずれかは、少なくとも１つのコンピュータプロセッサ、例えば、コンピュータプロセッサ２０１（図７）によって実行することができる（段階１９９）。
【００２４】
例えば、少なくとも１つの計測計量は、オーバーレイ、オーバーレイの変動の計量、およびオーバーレイに対して定められる不正確さの計量のいずれかを含むことができ、このオーバーレイは、式１として計算することができ、ただし、
【数１】
2019512869.tif 000003
は瞳の画素を表し、ｆ０は設計されたオフセットを示し、Ｄ１およびＤ２は、反対の設計されたオフセットに対応して、互いに対して１８０°だけ回転する瞳の画素で測定される反対の次数の信号強度間の差を示す。
【数２】
2019512869.tif 000004
【００２５】
対称の変動は、主にＤ１＋Ｄ２の項に影響する一方、非対称の変動は、下に説明されるように、主にＤ１−Ｄ２の項に影響し、対称および非対称のプロセス変動の異なる影響になることに留意されたい。
【００２６】
少なくとも１つのパラメータは、照明の波長、瞳の位置、任意の他の測定パラメータ、任意のプロセスパラメータのいずれかを含み得る。
【００２７】
以下において、詳細な方法の段階および解析の手順は、対称のプロセス変動、非対称のプロセス変動、より一般的には、プロセス変動の根本原因解析、およびそれのターゲットおよびプロセス設計との関連に対して示される。
【００２８】
対称のプロセス変動
いくらかの実施形態では、方法１００は、少なくとも１つのパラメータとしてシミュレートされるおよび／または測定される瞳像を横切る少なくとも１つの共鳴領域の移動を検出すること（段階１５０）と、そこから対称のプロセス変動を推定すること（段階１５５）とをさらに含むことができる。
【００２９】
図２は、本発明のいくつかの実施形態による、対称のプロセス変動に起因する、ランドスケープ図９０および瞳像９１それぞれにおける波長および瞳座標に関しての共鳴領域９５、９６の移動についての一例の概略図である。共鳴領域は、移動前、ランドスケープ図９０Ａおよび瞳像９１Ａそれぞれの９５Ａ、９６Ａに示されており、移動後、共鳴領域は、ランドスケープ図９０Ｂおよび瞳像９１Ｂそれぞれにおける９５Ｂ、９６Ｂで示される。
【００３０】
図２は、対称のプロセス変動がＬＳおよび瞳に影響を及ぼす様子を概略的に示す。ウェハ上の１つの箇所から別の箇所へ、層のうち１つの厚さの変動などのいくつかの対称のプロセス変動、ＣＤの変動（限界寸法）などの出現によって、ランドスケープ（９０Ａ→９０Ｂ）内で共鳴領域が９５Ａ→９５Ｂにシフトし、ならびに瞳像内でアークが９６Ａ→９６Ｂにシフトし、これらは同じレシピ（９１Ａ→９１Ｂ）で測定されることを考える（測定レシピは、測定パラメータ、条件、およびアルゴリズムの組み合わせで構成されている）。精度、ならびにレシピの瞳３Ｓおよび感度も、それがランドスケープの異なる部分に位置するように移動するので変わる。そのような移動は、対称のプロセス変動に対してレシピの低いプロセスの頑健さを示し、先行技術において望ましくないものであるが、そのようなレシピは、（ｉ）対称のプロセス変動に対してのプロセスの頑健さを推定し、（ｉｉ）対称のプロセス変動に直接関係付けられるウェハにわたってのアーク９６の位置のウェハマップを生成し、（ｉｉｉ）異なる対称のプロセス変動が適用されるＲＣＡツールを用いるために使用することができることが発明者によって発見されている。プロセス変動ごとのアーク９６の位置は、ウェハ上のアーク９６の位置と比較することができ、次いで対称のプロセス変動がウェハにわたって定量的に推定することができる。
【００３１】
したがって、方法１００は、ウェハ上の複数の測定位置の上の特定された少なくとも１つの共鳴領域をマッピングすること（段階１７０）と、マップピング内の少なくとも１つの空間的な関係を特徴付けること（段階１７２）と、この特徴付けに従ってプロセス変動の根本原因を特定すること（段階１７４）とをさらに含むことができる。例えば、特徴付けられた空間的な関係は、対称のプロセス変動に関し得るとともに、特定された根本原因は、特徴付けられた対称のプロセス変動という結果になることが知られている特定のプロセス段階に関し得る。
【００３２】
図３Ａは、本発明のいくつかの実施形態による、ウェハ上の瞳内のアーク９６の位置のマップピング１７０についての一例の概略図である。示した例では、離散的なランドスケープを生成するために全ての利用可能な波長に関して数十のＳＣＯＬターゲットがウェハ上で測定され、（示されている場合には０ＮＡと０．２ＮＡの間の）アーク９６の位置が、それぞれの位置の色によって示される。ウェハの中心において、アーク９６は消える。ウェハマップのシグネチャは、ウェハ上のアーク位置の対称の変動を明確に示しており、これは、対称のプロセス変動の存在を示す。
【００３３】
図３Ｂは、本発明のいくつかの実施形態による、層の厚さが異なる場合の、データおよびシミュレーションから、異なる箇所が同じレシピで測定されるときの、ウェハの異なる箇所における瞳内のアーク９６の位置についての一例の概略図である。アーク９６が４つの画像全てに示されている場合に、中心における箇所とウェハの周辺における箇所が比較される。瞳像９１Ｃ、９１Ｄは、異なる箇所（それぞれ中心および縁部）における瞳の上の測定されたオーバーレイを示し、瞳像９２Ｃ、９２Ｄは、それぞれの箇所における積み重ねのシミュレートされた瞳像であり、対称のプロセス変動は、層のうち１つの厚さを変えることによってシミュレーションに挿入された。瞳像９１Ｃ、９２Ｃを与える箇所は、層の厚さが公称の厚さからマイナス１１ｎｍの変動を有し、一方、瞳像９１Ｄ、９２Ｄを与える箇所は、層の厚さが公称の厚さからプラス１ｎｍの変動を有する。したがって、共鳴のレシピは、プロセスの頑健さに影響を及ぼし、ついには測定の精度に影響を及ぼし得るウェハにわたる層の厚さの変動を監視するために使用され得ることが示されている。
【００３４】
または、いくらかの実施形態は、ＲＣＡツール２００を備え（後述の図７を参照）、ＲＣＡツール２００は、含まれる厚さの起こりそうな変動をシミュレートするために様々な同質の厚さの変動を用いてモデル化された積み重ねをシミュレートするように構成され、プロセス変動のパターンを特定の根本原因に関係付ける。それに応じて、方法１００は、異なる厚さの変動を用いてモデル化された積み重ねをシミュレートしてパターンを根本原因に関係付けることを含み得る（段階１８０）。例えば、異なるＣＶＤ（化学気相成長）機械は、ウェハにわたっての異なる典型的な厚さの変動を用いて異なる層を堆積させ、例えば、酸化物層のＣＶＤは、典型的なソンブレロ分布を示し得る一方、ハードマスクのＣＶＤは、ウェハにわたって円蓋状の厚さ分布を示し得る。
【００３５】
図３Ａに示された例では、ウェハ上のアーク位置の半径方向の対称性は、マップピング内の特徴付けられた空間的な関係としての円蓋分布に対応し得るプロセス変動を示すことができ（段階１７２参照）、これは、プロセス変動の要因として対応するＣＶＤステップの特定をもたらし得る。
【００３６】
図３Ｂに示された例では、対応する層は、そのようなＣＶＤで観察される典型的な変動に対応する異なる範囲の厚さを用いてシミュレートされた。アーク位置は、ウェハにおいて対応する測定された波長と、設計された層の異なる厚さの変動とについてシミュレーションで追跡された。シミュレーションは、ウェハの縁部におけるデータ（９１Ｃ、９１Ｄ）とシミュレーション（９２Ｃ、９２Ｄ）の間の対応するアーク位置は公称の積み重ね（９１Ｃ、９２Ｃ）から−１１ｎｍの層の厚さに対応し、一方、ウェハの中心において、この変動は約＋１ｎｍである（９１Ｄ、９２Ｄ）ことを示す。したがって、プロセス変動の根本原因解析は、特定の層が、円蓋分布に関して中心から縁部まで約１２ｎｍのその厚さの変動を示していることを示す。厚さの変動の根本原因解析は、提案された方法を用いて明確に特定および定量化することができる。
【００３７】
これらの例は、開示した発明は、正確なモデルを用いて、測定の精度に影響を及ぼし得るプロセス変動の許容できる範囲を定量化することを可能にし得ることと、シミュレーションがそのような厚さの変動がどのようにオーバーレイを測定するための正確なレシピに影響を及ぼし得るのか評価するとともに、モデルに基づく精度推定を実行するために使用できることとを示す。または、これらの例は、プロセス変動を特定することで計測の偏差を導くやり方を与える。例えば、精度の計量が偏差内にあるとき、必ずしもシミュレーションを実行する必要はなく、ＲＣＡ（根本原因解析）レシピ（以下のより詳細を参照）が、特定された偏差のプロセス変動の根本原因を特定するために使用することができる。
【００３８】
図７は、本発明のいくつかの実施形態によるＲＣＡツール２００の高レベルの概略ブロック図である。ＲＣＡツール２００は、測定および／またはシミュレーションに基づき得る。ＲＣＡツール２００は、計測ツール７０に関連し得るとともに、少なくとも１つのコンピュータプロセッサ２０１を備えることができ、この少なくとも１つのコンピュータプロセッサ２０１は、例えば、方法１００を少なくとも一部実行するように構成されるとともに、場合によってはコンピュータプログラム製品と関連しており、この少なくとも１つのコンピュータプロセッサ２０１は、コンピュータ可読プログラムを組み入れたコンピュータ可読記憶媒体を備えるとともに、方法１００の関連した段階を実行するように構成されている。ＲＣＡツール２００は、本明細書中に開示したように、プロセスステップおよび対応する特徴、プロセスパラメータ、ならびに積み重ねデータなどのプロセスに関連したパラメータ８０とともに、レシピ、測定パラメータ、および計測計量などの測定データ８５を受け取り、ランドスケープ９０、瞳像９１、および／または共鳴領域９５、ならびに可能性のあるそのウェハマップピング１７０を用意することができ、これらは、プロセス変動に関連したデータ、プロセス変動の種類、変動の根本原因等など、プロセスおよび／または測定の補正２１０のための様々な特性および可能性に関連した情報を与えるために使用することができる。
【００３９】
非対称のプロセス変動
ＲＣＡツール２００は、計測ツール７０を用いてウェハに関して測定されたものに対応する厚さの変動と組み合わせて異なるタイプの非対称のプロセス変動をシミュレートするためにさらに利用され得る。非対称のプロセス変動のための非限定の例には、格子の非対称、トポグラフィ、セルツーセルの変動、ターゲットの騒音、または同じターゲットの内側の非対称を壊す任意のプロセス変動が含まれる。選ばれたレシピの精度が、ウェハ上で変化する場合、ＲＣＡツール２００は、異なるタイプのプロセス変動について予期される不正確さを定量化するために使用することができる。また、ＲＣＡツール２００は、（測定データおよび／または測定データ８５を用いたシミュレーションに従って）受け入れできない不正確さをもたらし得る推定されたプロセス変動とともにこの箇所における使用のための異なるターゲットの設計、異なるＳＣＯＬアルゴリズム、および／または異なるレシピを示唆するように構成され得る。ランドスケープおよび瞳の解析の観点における非対称のプロセス変動の一般的な挙動は、（以下の調節とともに、対称のプロセス変動に関して基本的に上述したように）、追跡され、オーバーレイの計測の偏差をもたらすプロセスから、特定のプロセス変動および根本原因を特定するために使用される。
【００４０】
いくらかの実施形態では、方法１００（図６参照）は、少なくとも１つの共鳴領域内の符号変化を検出し（段階１６０）、そこから非対称のプロセス変動を推定すること（段階１６５）を含む。いくらかの実施形態では、符号変化は、少なくとも１つのパラメータの変化に基づく不正確さの勾配の逆転を含む。
【００４１】
図４は、本発明のいくつかの実施形態による、非対称のプロセス変動の影響を示す一例の概略図である。図４は、５００ｎｍに共鳴を有するランドスケープを概略的に示す。ランドスケープ図９０Ｅ内の共鳴領域９５Ｅは、Ｐ３σの振幅の増加および不正確さ（Ａｓｙｍ１→Ａｓｙｍ２、破線）という結果になる非対称のプロセス変動の強度の倍増を示す。測定されたターゲット内の非対称（例えば、右ＳＷＡの非対称、対、左ＳＷＡの非対称、ＳＷＡは、側壁の非対称を示す）により、ランドスケープ図９０Ｆ内の共鳴領域９５Ｆは、不正確さの符号の切り替わりを示す。瞳図９１Ｆ−１および図９１Ｆ−２は、（不正確さの値の反対の格付けを示す）共鳴領域９６Ｆ−１および９６Ｆ−２内の反対の勾配によってこの符号の切り替わりを概略的に示す。プロセス変動の強度は、Ａｓｙｍ１およびＡｓｙｍ２において等しく、結果としてＰ３σに等しくなる。
【００４２】
これらの２つの例は、同様の非対称のプロセス変動に関して、例えば、強度の変化（９０Ｅ）についておよび同じ強度（９０Ｆ）のプロセス変動に関して、ランドスケープが２箇所の間で変化し得る様子を示す。どちらの場合も、共鳴位置は変わらず、アーク９６は、瞳に同じ位置で現れる。しかしながら、瞳３Ｓの強度および不正確さは、プロセス変動の強度に従って変化する。非対称が符号を切り替わる場合（例えば、一方の箇所における右ＳＷＡの非対称、対、他方の箇所における左ＳＷＡの非対称）、精度の符号の切り替わりは、例えば、異なる波長で測定されるオーバーレイのランドスケープ内で、または瞳から特定され得る。アーク不連続９６の符号切り替わりは、プロセス変動による非対称の雑音の符号の切り替わりを示すために使用され得る。
【００４３】
したがって、Ｙ非対称からきれいな、共鳴の領域および瞳３Ｓの強度は、非対称のプロセス変動、およびウェハにわたるそれらの再分割を監視するために使用することができる。ウェハ上の箇所間の非対称の相対的な強度は、異なる方法（例えば、ＰＣＡ−主成分分析、スケーリングを監視する異なる方法など）によって計算することができる。ＲＣＡツール２００は、プロセス変動を定量化するために使用することもできる。ウェハにわたる非対称のプロセス変動のシグネチャは、不正確さの根本原因の（例えば、根本原因としてのエッチングの問題）目安として使用することもできる。
【００４４】
図５は、本発明のいくつかの実施形態による、ウェハ上のおよび特にウェハの異なる箇所における瞳内のアーク９６の位置による非対称のプロセス変動のマップピング１７０についての一例の概略図である。示した例では、数十のＳＣＯＬターゲットがウェハ上で測定され、離散的なランドスケープを生成するために全ての利用可能な波長に関しておよび特定の箇所について、オーバーレイ（ＯＶＬ）および変動（Ｐ３σ）の測定は、異なる波長について示される。画像９０Ｇ、９０Ｈ、９０Ｉ、９０Ｊのシーケンスは、その周辺または縁部からウェハ中心へ延びるウェハ上の位置で対応するランドスケープ（瞳３σおよびオーバーレイ）を示す。Ｐ３σとＯＶＬの両方は、（図４に同じように見られるように）互いに対して拡大縮小し、ウェハの縁部で最大であり、ウェハの中心で最小（および平坦）であることに留意されたい。瞳像９１Ｇ、９１Ｊは、それぞれ、周辺箇所および中心箇所について示され、ウェハの中心を横断すると生じる符号の切り替わりが示されている（９０Ｊ、９１Ｊについての中心箇所は、右に中心から外れている一方、９０Ｇ、９１Ｇについての周辺箇所は、ウェハ中心の左側にあることに留意されたい）。発明者は、そのようなパターンは、非対称のプロセス変動にとって典型的であることが分かっており、これはエッチングステップにおける結果である。
【００４５】
いくらかの実施形態では、ＲＣＡツール２００は、ＲＣＷＡ（厳密結合波解析）を用いてシミュレートされる予期されるトポグラフィおよび非対称のプロセス変動を評価するために、マックスウェルシミュレーションとプロセスＲＣＡツールを組み合わせるように構成することができる。詳細には、ＲＣＡツール２００は、対称のプロセス変動と非対称のプロセス変動の両方のシミュレーションを改善するとともに、プロセス変動の強度および不正確さを評価するために、アーク９６の位置を使用するように構成することができる。ＲＣＡツール２００は、対応する計測計量に対して、一般に、同じまたはとても近いアーク位置、アーク符号、および／またはランドスケープを用いて、異なる箇所を隔離するようにＰＣＡを用いるように構成することができる。回帰解析、近似方法等などの様々な解析方法が、共鳴のピーク、オーバーレイの挙動等を追跡するために使用することができ、これによってプロセス変動、およびｎ不正確さを特徴付ける。また、ＲＣＡツール２００は、所定の測定レシピが異なるタイプのプロセス変動によって影響を受ける程度、および評価／測定されたプロセス変動が選ばれたレシピに影響を及ぼし得るか否かを解析するように構成することができる。影響が大きい場合（例えば、特定の閾値を超える）、ＲＣＡツール２００は、代替のターゲット設計、測定レシピ、および／または測定アルゴリズムを示唆することで、達成された結果を改善する、例えばより正確なオーバーレイ測定を取り出すように構成されてもよい。
【００４６】
ターゲットの根本原因解析、およびプロセス設計
いくらかの実施形態では、方法１００は、異なるプロセスステップで、例えば前の層のエッチングの後、ＡＲＣ（反射防止コーティング）ステップの後、およびリソグラフィステップの後に測定を実行することによってターゲットの加工性を決定することを含むことができる。対応するプロセスの制御モジュールは、スループロセス計測、および単一の格子ターゲットのような特別のターゲットを印刷する可能性の検証を行うために、あるターゲットがよく処理されているか否かを定めるためにプロセス計測を通じて使用されるように構成され得る。例えば、単一の格子ターゲットの非限定の場合には、瞳内の差動信号は、加工性を得るために全ての画素に別々にアクセスすることによって解析され得る。
【００４７】
いくらかの実施形態は、（例えば、アーク９６および十分に良いＴＭＵ（全体的な測定の不確かさ）を示す）プロセス変動に敏感である測定レシピ、および場合によっては、プロセス変動に対して十分な感度を有するＲＣＡターゲットを含む。いくらかの実施形態は、ＲＣＡ較正のためのプロセス分割ウェハおよびＯＰＤ（光路差）の観点のプロセス変動の定量的解析の用意、および根本原因の特定を用いる。例えば、シミュレーションを用いる代わりにまたはそれに加えて、知られているパラメータを有するウェハは、較正のための基準、およびＯＰＤ変動の評価の用意として用いられ得る。一例として、プロセス分割ウェハは、エッチングプロセスの分割、堆積研磨の分割、焦点露光量の変動、研磨プロセス変動のいずれかを含むことができ、および／または異なるプロセスツールの通るウェハの経路に対して分割されてもよい。そのような分割は、ロット内または単一のウェハ内のウェハ間であり得る。いくらかの実施形態は、測定マッチングのシミュレーションによってそのようなモデルが検証される前または後に、ターゲットの設計モデルのフィードフォワードを含み、ＲＣＡの結果を較正するために使用することができ、すなわち、対称または非対称のプロセス変動の評価を定量的およびより正確にさせる。ＲＣＡの結果は、特に非対称のプロセス変動の解析を用いるが、対称のプロセス変動の解析も用いて、エッチング／ＣＭＰ（化学機械処理）のプロセスモニタまたは制御フィードバックとして使用することができる。
【００４８】
いくらかの実施形態では、ＲＣＡ測定は、異なるレシピを用いてＡＲＯ（自動的なレシピの最適化）ターゲットを測定することによって、および／またはＡＲＯによって定められるものと同じまたは異なるレシピを用いてさらなるターゲットを測定することによって実行することができる。ＲＣＡターゲットは、最適化されたサンプリングを用いて、場合によってはオーバーレイ計測のサンプリングのものとは異なる最適化されたサンプリングを用いて測定することができ、ＲＣＡの最適化されたレシピを用いて測定されてもよい。
【００４９】
いくらかの実施形態は、ＲＣＡアルゴリズムのために同じ／異なるサンプリングを用いてさらなるターゲット／レシピの測定、および／または場合によっては、オーバーレイの偏差が様々な精度フラグを有する防護システムによって定められるように生じるときのＲＣＡレシピの再定義を含む。可能性のある計測の偏差（それが発生する前のもの）に関する予測を（例えば、本明細書中に記載されたＲＣＡフラグを用いて）行うため、および適宜、計測の偏差を防ぐために新しいＡＲＯレシピを再定義するため、ＲＣＡレシピは、計測の偏差をもたらすプロセス変動を追跡するために、ＡＲＯ（自動的なレシピの最適化）レシピに加えて使用されてもよい。
【００５０】
いくらかの実施形態は、例えば、２つのレシピ間のＯＶＬ測定間の差が、ウェハにわたる非対称のプロセス変動のマップに比例および関係付けられるとき、ＯＶＬ（ＡＲＯおよび頑健）からＯＶＬ（ＲＣＡ）を差し引いたようなオーバーレイ間の差に基づいて非対称の計測計量を含む。同じ方法は、様々な計量に適用されてもよい。そのような計量は、非対称のウェハマップ、非対称の変動性、３Ｓ等を生成するように、および場合によってはサンプリングを再定義するようにマップされてもよく、ならびに／またはＡＤＩ（現像後の検査）モデルを補正するために、プロセス制御をモデル化するモジュールを補正可能なものとしてフィードバックを送ってもよい。そのような計量は、犠牲的な層からの寄与を定量化するために、ＡＤＩをＡＥＩ（エッチング後の検査）バイアスに相関させるために使用することもできる。いくらかの実施形態は、ＲＣＡレシピ／ウェハを使用するとともに、残りのものおよび補正可能なものを取り出すための良いサンプリングを定めるＲＣＡ法を用いる方法を定めることを含む。例えば測定が全ての箇所にわたって同じランドスケープ領域で実行されるように、全ての箇所がプロセスの頑健なＲＣＡレシピに対応するＡＲＯレシピの新しいサンプリングを定めるために、ＲＣＡレシピは、ＡＲＯレシピが頑健であると思われるときでも、プロセス変動を追跡するように使用することができる。
【００５１】
いくらかの実施形態では、方法１００は、ＲＣＡのため、例えば、異なるプロセス変動の種類のマップピング、（対称および非対称の）異なる種類のプロセス変動間の識別、および／または異なるウェハ／スロット間の特定の共鳴瞳のＲＣＡレシピの特定のためのおよびそれに関するＤ１−Ｄ２（式１参照）のような瞳像を解析するため（例えば、異なる共鳴形態間の混乱を避けるために）、瞳に対して「スマート」ＰＣＡ（主成分分析）を使用することを含む。
【００５２】
いくらかの実施形態では、方法１００は、異なるタイプのプロセス変動を特定するための、および単一の散乱領域を特定するためのフラグとしての新しいアルゴリズムを適用することを含む。例えば、新しい差動信号ＤａｌｐｈａおよびＤｂｅｔａは、式２におけるように定義することができ、ただし、Ｓ±１およびＳ±２は、それぞれ回折次数±１および±２の回折信号を表し、量ＧおよびΔは、式２にさらに定められるようなそれらに対して定義され得るものであり、ｆ０は、所定のオフセットを表し、α、βは、
【数３】
2019512869.tif 000005
および
【数４】
2019512869.tif 000006
に関して
【数５】
2019512869.tif 000007
のように定義される。
【００５３】
量Δは、αがβからどのくらい異なるのかを示し、その変動性は、非対称のプロセス変動に関連付けることができるとともに、非対称のプロセス変動のウェハマップを再現するためにＸおよびＹのターゲットについて別々に計算することができる。量Δは、フラグ（計測対象の）格子構造にわたっての格子における複数の散乱が無視できない程度に、またはその逆に開始するか否か、および単一の散乱モデルを使用することができるか否かを特定するフラグとして使用することもできる。
【００５４】
いくらかの実施形態では、
【数６】
2019512869.tif 000008
として定められる量Ｏ１およびＯ２が、やはり定義および使用され得る。理想的には、および単一の散乱モデルにおいて、Ｏ１およびＯ２は、それらの差にわたっての差動信号の合計によって与えられる最終的なオーバーレイ値に対して同じ貢献を有する。各セルの信号は、式３に表されるようにモデル化することができ、ただし、Ｃは定数を示し、εは正確なオーバーレイを示し、
Ｓ＋１＝Ｃ＋α（ε＋ｆ０）
Ｓ−１＝Ｃ−β（ε＋ｆ０）
Ｓ＋２＝Ｃ＋α（ε−ｆ０）
Ｓ−２＝Ｃ−β（ε−ｆ０）
式３
である。量Ｃは、代数的に取り出され、非対称のプロセス変動についてのフラグとして使用することができる。量αおよびβは、別々に計算することができる。
【００５５】
いくらかの実施形態は、単一の散乱に基づくＯＰＤを計算するためのモデルを用いることを含む。この表現
【数７】
2019512869.tif 000009
は、以下に説明されるように、ＳＣＯＬセルの格子オーバー格子構造の単一の散乱モデルに使用される式４に定義されるような表現
【数８】
2019512869.tif 000010
を得るために使用される。ΨはＯＰＤ位相を示し、δΨは位相非対称を示し、εは実際のＯＶＬを示し、ｒｌは低い格子からの反射性を示し、ｒｕは上の格子についての反射性を示す。格子構造にわたっての格子について回折の単一の散乱モデルを用いて、
【数９】
2019512869.tif 000011
であると分かる。
【００５６】
式４を用いて、ＯＰＤ位相は、
【数１０】
2019512869.tif 000012
として計算することができる。単一の散乱モデルの仮定は、モデルを用いてＯＰＤ位相を計算する可能性を検証するために、上で定めたαおよびβを用いて有効にすることができる。また、発明者は、説明した仮定を用いたΨの計算が共鳴領域内の非対称のプロセス変動に主に敏感である一方、平らな領域内で、それが純粋なＯＰＤのより良い推定を与え、したがってプロセス変動の推定および根本原因解析に用いることができることをシミュレーションにおいて見出していた。また、アルゴリズムは、単一のレシピを用いてＲＣＡを実行するために使用することができる。計算されたＯＰＤのウェハシグネチャは、レシピが使用されることに応じて対称のプロセス変動または非対称のプロセス変動のいずれかのシグネチャを与える。
【００５７】
いくらかの実施形態では、非対称のプロセス変動は、ウェハ全体にわたって同様である量Ｇを用いて、瞳の特定の領域を選択することによって評価することができる。対称のプロセス変動の場合でも、垂直な非対称（ＭＥＢ）からきれいにされる瞳３Ｓは、非対称のプロセス変動を評価するためにこの特定の領域で計算され得る。
【００５８】
それに応じて、方法１００は、計測の偏差を予測するための計測測定（段階１９０）と並列に、および場合によっては予測された計測の偏差に従って計測測定のレシピを調整して（段階１９２）、根本原因の特定１７４を実行することを含むことができる。方法１００は、そこに対しての箇所内のプロセス変動の推定を得るために、適宜、基準ウェハを用いて、ウェハ１７０上の異なる箇所に対して得られたランドスケープを解析すること（段階１９４）と、ランドスケープの同じ領域に対応するウェハ全体にわたっての箇所における計測測定を実行するために計測測定のレシピについてのサンプリングを調整すること（段階１９６）とをさらに含むことができる。いくらかの実施形態は、方法２００の段階を実行するように構成されているＲＣＡツール２００（上記図７参照）を備える。
【００５９】
本発明の各態様は、本発明の実施形態による方法、装置（システム）、およびコンピュータプログラム製品のフローチャート図および／または部分図を参照して上述されている。フローチャート図および／または部分図の各部分、ならびにフローチャート図および／または部分図の部分の組み合わせは、コンピュータのプログラム命令によって実施することができることを理解されよう。これらのコンピュータのプログラム命令は、コンピュータまたは他のプログラム可能なデータ処理装置のプロセッサによって実行する命令が、フローチャートおよび／またはそれらの部分図もしくは部分において特定される機能／動作を実施する手段を生成するように機械を生成するために、汎用コンピュータ、専用コンピュータ、または他のプログラム可能なデータ処理装置のプロセッサへ与えられ得る。
【００６０】
コンピュータ、他のプログラム可能なデータ処理装置、または特定のやり方で機能する他のデバイスを指示できるこれらのコンピュータのプログラム命令は、コンピュータ可読媒体内に記憶することもでき、コンピュータ可読媒体内に記憶された命令が、フローチャートおよび／またはそれらの部分図もしくは部分で特定される機能／動作を実施する命令を含む製品をもたらすようになっている。
【００６１】
コンピュータのプログラム命令は、コンピュータにより実施されるプロセスを生成するためにコンピュータ、他のプログラム可能な装置、または他のデバイス上で一連の動作ステップを実行させるために、コンピュータ、他のプログラム可能なデータ処理装置、または他のデバイス上へ読み込むこともでき、コンピュータまたは他のプログラム可能な装置上で実行する命令が、フローチャートおよび／またはそれらの部分図もしくは部分において特定される機能／動作を実施するためのプロセスを実現するようになっている。
【００６２】
前述のフローチャートおよび図は、本発明の様々な実施形態によるシステム、方法、およびコンピュータプログラム製品の可能な実施のアーキテクチャ、機能、および動作を示す。この点について、フローチャートまたは部分図内の各部分は、モジュール、セグメント、またはコードの一部を表わすことができ、これは、特定の論理関数を実施する１つ以上の実行可能な命令を含む。いくつかの代替の実施では、部分で示される機能は、図に示された順番以外で行われてもよいことにも留意されたい。例えば、連続して示された２つの部分は、実際には、ほぼ同時に実行されてもよく、または場合によっては、これらの部分は、含まれる機能に応じて逆の順番で実行されてもよい。部分図および／またはフローチャート図の各部分、ならびに部分図および／またはフローチャート図の部分の組み合わせは、特定された機能または動作、あるいは専用ハードウェアおよびコンピュータ命令の組み合わせを実行する専用のハードウェアベースのシステムによって実施され得ることにも留意されよう。
【００６３】
上記説明において、１つの実施形態は、本発明の一例または一実施である。「一実施形態」、「１つの実施形態」、「いくらかの実施形態」、または「いくつかの実施形態」の様々な出現は、必ずしも全てが同じ実施形態を指すとは限らない。本発明の様々な特徴が、単一の実施形態の内容で説明され得るが、特徴は、別々にまたは任意の適切な組み合わせで設けることもできる。逆に、本発明は、明確にするために別個の実施形態の内容で本明細書中に説明され得るが、本発明は、単一の実施形態において実施することもできる。本発明のいくらかの実施形態は、上で開示された異なる実施形態からの特徴を含み得るが、いくらかの実施形態は、上で開示された他の実施形態から要素を組み込んでもよい。特定の実施形態の内容における本発明の要素の開示は、特定の実施形態単独でのその使用を制限するものとしてとらえられるべきではない。さらに、本発明は、様々なやり方で実行または実施することもでき、本発明は、上記説明に概説されたもの以外のいくらかの実施形態で実施されてもよいことを理解されたい。
【００６４】
本発明は、これらの図または対応する説明に限定されない。例えば、流れは、それぞれの示された箱または状態を通じてまたは図示および説明されたものと正確に同じ順序で移動する必要はない。本明細書中に使用される科学技術用語の意味は、特段定めがない限り、本発明が属する当業者によって一般に理解されるものとする。本発明は限られた個数の実施形態に関して説明されてきたが、これらは、本発明の範囲に対する限定として解釈されるべきではなく、むしろ、好ましい実施形態の一部の例示として解釈されるべきである。他の可能な変更、変形、応用も、本発明の範囲内である。したがって、本発明の範囲は、これまで説明されたものによって限定されるべきではなく、添付の特許請求の範囲、それらの法的な均等物によって限定されるべきである。
【図１】
2019512869.tif 000015
【図２】
2019512869.tif 000016
【図３Ａ】
2019512869.tif 000017
【図３Ｂ】
2019512869.tif 000018
【図４】
2019512869.tif 000019
【図５】
2019512869.tif 000020
【図５−１】
2019512869.tif 000021
【図６】
2019512869.tif 000022
【図６−１】
2019512869.tif 000023
【図７】
2019512869.tif 000024
【国際調査報告】
2019512869.tif 000025
2019512869.tif 000026